(57)【特許請求の範囲】
【請求項１】
一面が被冷却機器側、他面が外気側となる熱交換体と、この熱交換体の前記一面側における強制対流を行わせる送風機とを備え、前記熱交換体は、その他面側に、長溝状の通風路が複数形成され、前記他面側における長溝状の通風路には、その通風路の長手方向を分断する第一の仕切体を設け、前記熱交換体の一面側に、前記長溝状の通風路を複数形成し、前記熱交換体は、前記被冷却機器側と、前記外気側に交互に突出する三角波板形状とし、前記熱交換体の一面側において隣接する突出部間を前記被冷却機器側の通風路とし、前記熱交換体の他面側において隣接する突出部間を外気側の通風路とし、前記熱交換体は、合成樹脂板、または金属板により構成し、前記第一の仕切体は、長板により形成し、この長板の長手方向の一辺には、前記熱交換体の他面側に設けた外気側の通風路内に突入する突入片を設けた冷却装置。
【請求項２】
突入片の先端と、熱交換体の他面側間には、水抜き開口を設けた請求項１に記載の冷却装置。
【請求項３】
熱交換体の他面側には、第一の仕切体に直交する、長板により形成した第二の仕切体を設けた請求項１または請求項２のいずれか一つに記載の冷却装置。
【請求項４】
第二の仕切体は、熱交換体の他面側の通風路内に、この通風路に沿って設けた請求３に記載の冷却装置。
【請求項５】
熱交換体の他面側には、熱交換体カバーを設け、この熱交換体カバーの、第一の仕切体に対向する部分には、第一の風路分断桟を設けた請求項１〜請求項４のいずれか一つに記載の冷却装置。
【発明の詳細な説明】
【技術分野】
【０００１】
本発明は、冷却装置とそれを用いた電子機器に関するものである。
【背景技術】
【０００２】
例えば、電子機器の一例であるテレビジョン受像機は、表示部の大型化が進み、その結果として、その冷却構造が重要になってきた。
【０００３】
すなわち、本体ケースの前面側が表示部となっており、またこの本体ケース内には電子部品が配置され、さらにこの本体ケースの背面側に設けた背面カバーには、複数の放熱フィンを一体に設けていた（例えば、特許文献１参照）。
【先行技術文献】
【特許文献】
【０００４】
【特許文献１】特開平７−３２２１７２号公報
【発明の概要】
【発明が解決しようとする課題】
【０００５】
上記従来例で課題となるのは、冷却効果をさらに高めなければならないということである。
【０００６】
すなわち、前記従来例では、本体ケース内の電子部品から発せられる熱を、背面カバーに一体形成した複数の放熱フィンから本体ケース外に放熱させようようとしている。
【０００７】
この点をさらに詳しく説明すると、本体ケース内の熱は、先ず複数の放熱フィンに伝えられ、次に本体ケース外において、放熱フィン間の通風路を上昇する空気に放熱されるようになっている。
【０００８】
しかしながら、放熱フィン間の通風路を上昇する空気は、放熱フィンからの熱伝導により直ちに温度上昇し、高温となってしまう。
【０００９】
このため、それより上方の放熱フィン部分では、本体ケース内の熱を殆ど放熱することができず、その結果として冷却効果が低いものとなってしまうのであった。
【００１０】
そこで本発明は、冷却効果を高めることを目的とするものである。
【課題を解決するための手段】
【００１１】
そして、この目的を達成するために本発明の冷却装置は、一面が被冷却機器側、他面が外気側となる熱交換体と、この熱交換体の前記一面側における強制対流を行わせる送風機とを備え、前記熱交換体は、その他面側に、長溝状の通風路が複数形成され、前記他面側における長溝状の通風路には、その通風路の長手方向を分断する第一の仕切体を設け、前記熱交換体の一面側に、前記長溝状の通風路を複数形成し、前記熱交換体は、前記被冷却機器側と、前記外気側に交互に突出する三角波板形状とし、前記熱交換体の一面側において隣接する突出部間を前記被冷却機器側の通風路とし、前記熱交換体の他面側において隣接する突出部間を外気側の通風路とし、前記熱交換体は、合成樹脂板、または金属板により構成し、前記第一の仕切体は、長板により形成し、この長板の長手方向の一辺には、前記熱交換体の他面側に設けた外気側の通風路内に突入する突入片を設け、これにより、所期目的を達成するものである。
【発明の効果】
【００１２】
以上のように、本発明の冷却装置は、一面が被冷却機器側、他面が外気側となる熱交換体と、この熱交換体の前記一面側における強制対流を行わせる送風機とを備え、前記熱交換体は、その他面側に、長溝状の通風路が複数形成され、前記他面側における長溝状の通風路には、その通風路の長手方向を分断する第一の仕切体を設け、前記熱交換体の一面側に、前記長溝状の通風路を複数形成し、前記熱交換体は、前記被冷却機器側と、前記外気側に交互に突出する三角波板形状とし、前記熱交換体の一面側において隣接する突出部間を前記被冷却機器側の通風路とし、前記熱交換体の他面側において隣接する突出部間を外気側の通風路とし、前記熱交換体は、合成樹脂板、または金属板により構成し、前記第一の仕切体は、長板により形成し、この長板の長手方向の一辺には、前記熱交換体の他面側に設けた外気側の通風路内に突入する突入片を設けたものであるので、その冷却効果を高めることができる。
【００１３】
すなわち、本発明においては、熱交換体の一面側（被冷却機器側）においては送風機で強制対流を行わせることで、この熱交換体への熱伝導性を高め、また熱交換体の他面側は外気側としているので、この熱交換体の他面側の通風路を上昇する外気によってこの熱交換体に伝わった熱を放熱することが出来る。
【００１４】
また、熱交換体の他面側における長溝状の通風路には、その通風路の長手方向を分断する第一の仕切体を設けたものであるので、放熱フィン間の通風路を上昇する空気は、放熱フィンからの熱伝導により直ちに温度上昇し、高温となっても、前記第一の仕切体によって通風路外に放出されることになる。
【００１５】
このため、それより上方の放熱フィンの放熱は、通風路外から新たに進入する外気によって行われることになり、この結果として冷却効果を高めることができるのである。
【図面の簡単な説明】
【００１６】
【図１】本発明の（実施の形態１）を示す斜視図
【図２】同分解斜視図
【図３】同要部背面図
【図４】同背面図
【図５】同要部一部切欠斜視図
【図６】図５のＶＩ−ＶＩ線断面図
【図７】同要部断面図
【図８】同要部断面図
【図９】（ａ）は同要部断面図（ｂ）は（ａ）のＢ部分拡大断面図
【図１０】同要部背面図
【図１１】（ａ）は本発明の（実施の形態２）の同要部断面図（ｂ）は（ａ）のＢ部分拡大断面図
【図１２】本発明の（実施の形態３）を示す分解斜視図
【図１３】（ａ）は同要部断面図（ｂ）は（ａ）のＢ部分拡大断面図
【図１４】本発明の（実施の形態４）を示す分解斜視図
【図１５】（ａ）は同要部断面図（ｂ）は（ａ）のＢ部分拡大断面図
【発明を実施するための形態】
【００１７】
以下、本発明の実施の形態について、図面を参照しながら説明する。
【００１８】
（実施の形態１）
図１は、本発明を電子機器の一例として表示装置１に適用したものを示し、この表示装置１は、商店２の軒下３に吊り下げられている。
【００１９】
前記表示装置１は、図１〜図４に示すように、前面側の表示部４、背面側に電子部品の実装基板５が配置された本体ケース６と、この本体ケース６の前記背面側に配置された冷却装置７と、この冷却装置７の背面側に配置された熱交換体カバー８と、この熱交換体カバー８の背面側に配置された背面カバー９とを備えている。
【００２０】
なお、表示装置１は屋外設置タイプのものであるので、本体ケース６に対して表示部４と冷却装置７は何れも水密的に取り付けられている。
【００２１】
また、本体ケース６に対して表示部４と冷却装置７が水密的に取り付けられているので、本体ケース６内の熱（主に表示部４や、実装基板５の電子部品から発生する熱）は冷装置７によって本体ケース６外に効果的に放出する必要がある。
【００２２】
そこで、本体ケース６内の熱を、左右に並べた三つの冷却装置７によって本体ケース６外に効果的に放出するため、本実施形態では、以下のような構成とした。
【００２３】
各冷却装置７は、図５〜図８に示すごとく、被冷却機器側（本実施形態では表示部４や、実装基板５側）と、外気側（本実施形態では背面カバー９）に交互に突出する三角波板形状の熱交換体１０と、この熱交換体１０の前記一面側（本実施形態では被冷却機器側である表示部４や、実装基板５側）における強制対流を行わせる送風機１１とを備えた構成となっている。なお、熱交換体１０は、被冷却機器側と、外気側に交互に突出する波板形状としても良く、このような波板形状や三角波板形状は、合成樹脂板、または金属板により簡単に形成することが出来、しかも合成樹脂板、または金属板で形成しても、通風による放熱効果は十分に確保することが出来る。
【００２４】
そして、以上の構成とすることで、前記熱交換体１０の被冷却機器側には、図６、図７に示すように縦方向の長溝状の通風路１２が形成され、この通風路１２内を送風機１１による送風が図１０に示すごとく、上から下へと流れるようになっている。つまり、本体ケース６内に、籠もっている表示部４や、実装基板５の熱は、送風機１１の送風によって通風路１２部分で、熱交換体１０へと伝達されるようになっている。
【００２５】
一方、前記熱交換体１０の外気側には、図５、図６、図８に示すように、縦方向で、しかも長溝状の通風路１３が形成され、この通風路１３内を、自然対流によって外気が下から上へと流れるようになっている。つまり、表示部４や、実装基板５の熱が熱交換体１０の内側に伝達され、この熱交換体１０の外気側においては、通風路１３内を下から上へと自然対流により外気が上昇しているので、この外気で放熱が行われ、その結果として表示部４や、実装基板５の効果的な冷却が行われることになる。
【００２６】
また、熱交換体１０の背面カバー９側に外気が流れるようにするために、熱交換体カバー８は、図２、図３から理解されるように、熱交換体１０の外周と、背面カバー９側に十分な空間を形成した枠形状に形成されている。
【００２７】
さらに、背面カバー９にも、図２、図４から理解されるように、複数の通気孔１４が形成されている。
【００２８】
本実施形態において特徴的なのは、図２、図５、図６に示すように、上下方向に伸びる長溝状の通風路１３を、その長手方向である上下方向において分断する仕切体１５を設けたことである。
【００２９】
仕切体１５は、長板により形成され、この長板の長手方向の一辺側（熱交換体１０側）には、図６に示すように、熱交換体１０の他面側に設けた外気側の通風路１３内に突入する突入片１６を設けており、これにより上下方向に伸びる長溝状の通風路１３を、その長手方向である上下方向において仕切体１５により分断するようにしている。
【００３０】
したがって、熱交換体１０が、表示部４や、実装基板５の電子部品から発生する熱で温度上昇すると、この熱交換体１０の外気側においては、通風路１３内を下から上へと上昇する自然対流が発生し、この外気で放熱が行われ、その結果として表示部４や、実装基板５の効果的な冷却が行われることになる。
【００３１】
また、この時、長溝状の通風路１３を、その長手方向である上下方向において仕切体１５により分断しているので、この仕切体１５より下の通風路１３から上昇した外気は、この仕切体１５により通風路１３外へと流出される。
【００３２】
また、これにより、この仕切体１５より上の通風路１３には新たな外気が流入し、通風路１３内を上昇することになる。
【００３３】
そしてこの上の通風路１３内においても、この外気で放熱が行われ、その結果として表示部４や、実装基板５の効果的な冷却が行われることになる。
【００３４】
これに対して、通風路１３内を上下方向に分断していなかった場合には、外気が、その上昇途中で十分に温度上昇し、それ以降は熱交換体１０の冷却にあまり貢献できない状態となる。
【００３５】
なお、図６に示すごとく、突入片１６の先端と、熱交換体１０の他面側間には、水抜き開口１７を設けており、これにより背面カバー９の通気孔１４から浸入した雨水等は、この水抜き開口１７を通して通風路１３内を上方から下方へと流下し、再び背面カバー９外へと流出されることになる。
【００３６】
また、図９と図２から理解されるように、仕切体１５に対向する熱交換体カバー８部分はフレーム（風路分断桟の一例）８ａが存在し、その部分には、この仕切体１５の背面カバー９側の他辺が突入する凹部１８が設けられている。さらに、この熱交換体カバー８を構成するフレームで、仕切体１５に対向する部分には、図９に示すように背面カバー９の凹部１９に突入する凸部２０が設けられている（背面カバー９の凹部１９部分は、風路分断桟となっている）。
【００３７】
このため、仕切体１５の部分において通風路１３内は、背面カバー９の外まで、上下方向の分断状態が確保されており、よって仕切体１５の上下における通風路１３内においては、それぞれ下方より進入した外気が通風路１３内を上昇し、それによって熱交換体１０の放熱が行われるので、表示部４や、実装基板５の効果的な冷却が行われることになるのである。
【００３８】
また、図５、図６に示すように、本体ケース６を縦設置する場合の冷却効果の向上のため、３枚並んだ中央の熱交換体１０の他面側（背面カバー９側）には、仕切体１５に直交する、長板により形成した仕切体２１を設けている。なお、この仕切体２１は、熱交換体１０の通風路１３内に、この通風路１３に沿って設けている。
【００３９】
つまり、本体ケース６は図１、図２に示すように横長のもので、通常使用はこの横長状態で使用するが、これを縦長状態で使用する場合もあり、その場合に、この仕切体２１によって上下方向の外気上昇経路を分断し、それによって効果的な冷却が行われるようにするのである。
【００４０】
もちろん、この仕切体２１に対向する熱交換体カバー８部分には、図２に示すようにフレーム（風路分断桟の一例）８ｂが存在し、その部分には図９と同様に、この仕切体２１の背面カバー９側の他辺が突入する凹部（図示せず）が設けられている。さらに、この熱交換体カバー８を構成するフレームで、仕切体２１に対向する部分（風路分断桟となる）には、背面カバー９の凹部（図示せず）に突入する凸部（図示せず）が設けられている。
【００４１】
（実施の形態２）
図１１は本発明の（実施の形態２）を示し、図９に示した仕切体１５に対向するフレームの凹部１８や凸部２０を無くし、その部分にクッション体２２、２３を設けたものである。
【００４２】
具体的には、仕切体１５と熱交換体カバー８間にクッション体２２を設け、熱交換体カバー８と背面カバー９間にクッション体２３を設けたものである。
【００４３】
（実施の形態３）
図１２、図１３は本発明の（実施の形態３）を示し、（実施の形態１）で使用した熱交換体カバー８を廃止したものである。
【００４４】
このため、背面カバー９の凹部１９には、仕切体１５の背面カバー９端部を直接突入させている。
【００４５】
（実施の形態４）
図１４、図１５は本発明の（実施の形態４）を示し、この実施の形態４における熱交換体２４は、平板２５に、実装基板５側と、背面カバー９側に突出する放熱フィン２６を、所定間隔おいて設け、前記平板２５の背面カバー９側において隣接する放熱フィン２６間を外気側通風路としたものである。
【００４６】
もちろんこのような熱交換体２４でも、水抜き開口２７を設けている。
【００４７】
なお、（実施の形態２〜４）においては、（実施の形態１）と異なる部分だけを説明しており、基本的な構造は（実施の形態１）と同様になっている。
【産業上の利用可能性】
【００４８】
以上のように本発明の冷却装置は、一面が被冷却機器側、他面が外気側となる熱交換体と、この熱交換体の前記一面側における強制対流を行わせる送風機とを備え、前記熱交換体は、その他面側に、長溝状の通風路が複数形成され、前記他面側における長溝状の通風路には、その通風路の長手方向を分断する第一の仕切体を設けたものであるので、その冷却効果を高めることができる。
【００４９】
すなわち、本発明においては、熱交換体の一面側（被冷却機器側）においては送風機で強制対流を行わせることで、この熱交換体への熱伝導性を高め、また熱交換体の他面側は外気側としているので、この熱交換体の他面側の通風路を上昇する外気によってこの熱交換体に伝わった熱を放熱することが出来る。
【００５０】
また、熱交換体の他面側における長溝状の通風路には、その通風路の長手方向を分断する第一の仕切体を設けたものであるので、放熱フィン間の通風路を上昇する空気は、放熱フィンからの熱伝導により直ちに温度上昇し、高温となっても、前記第一の仕切体によって通風路外に放出されることになる。
【００５１】
このため、それより上方の放熱フィンの放熱は、通風路外から新たに進入する空気によって行われることになり、この結果として冷却効果を高めることができるのである。
【００５２】
したがって、例えば、屋外設置タイプの電子機器に利用することが可能である。
【符号の説明】
【００５３】
１    表示装置
２    商店
３    軒下
４    表示部
５    実装基板
６    本体ケース
７    冷却装置
８    熱交換体カバー
８ａ  フレーム（風路分断桟の一例）
８ｂ  フレーム（風路分断桟の一例）
９    背面カバー
１０  熱交換体
１１  送風機
１２，１３  通風路
１４  通気孔
１５  仕切体
１６  突入片
１７  水抜き開口
１８，１９  凹部
２０  凸部
２１  仕切体
２２，２３  クッション体
２４  熱交換体
２５  平板
２６  放熱フィン
２７  水抜き開口
【図１】
0005556093.tif 000002
【図２】
0005556093.tif 000003
【図３】
0005556093.tif 000004
【図４】
0005556093.tif 000005
【図５】
0005556093.tif 000006
【図６】
0005556093.tif 000007
【図７】
0005556093.tif 000008
【図８】
0005556093.tif 000009
【図９】
0005556093.tif 000010
【図１０】
0005556093.tif 000011
【図１１】
0005556093.tif 000012
【図１２】
0005556093.tif 000013
【図１３】
0005556093.tif 000014
【図１４】
0005556093.tif 000015
【図１５】
0005556093.tif 000016